(57)【要約】【課題】溶着性ビーズ玩具の集合体の乾燥後の反りを低減するよう早めに保持トレイから取り外すことができる溶着性ビーズ玩具用スクレイパーを提供する。【解決手段】溶着性ビーズ玩具用スクレイパー１は、本体部１０と、本体部１０の前方側に形成されるヘラ部２０と、本体部１０の左右両側にそれぞれ配置され、ヘラ部２０の前進移動を案内するガイド部と、を備える。本体部１０は、平面視横長矩形状に形成される。ヘラ部２０の上面は、本体部１０の上面と連続した平面が形成される。【選択図】    図１
2017189205.tif 000002
【特許請求の範囲】
【請求項１】
本体部と、
前記本体部の前方側に形成されるヘラ部と、
前記本体部の左右両側にそれぞれ配置され、前記ヘラ部の前進移動を案内するガイド部と、
を備えることを特徴とする溶着性ビーズ玩具用スクレイパー。
【請求項２】
前記本体部は、上面が平面とされる平面視横長矩形状に形成され、
前記ヘラ部の上面は、前記本体部の上面と連続した平面が形成されることを特徴とする請求項１に記載の溶着性ビーズ玩具用スクレイパー。
【請求項３】
前記ガイド部は、前記本体部の左右の側面と平行に前記各側面から縦板状に突出し、下面を前記本体部の下面よりも上方に位置させた板状ガイド部であることを特徴とする請求項１又は請求項２に記載の溶着性ビーズ玩具用スクレイパー。
【請求項４】
前記ガイド部は、前記本体部の左右から平板状に突出する横板部の下面から下方に突出するブロック状ガイド部であることを特徴とする請求項１乃至請求項３の何れか記載の溶着性ビーズ玩具用スクレイパー。
【請求項５】
前記ガイド部は、左右の前記板状ガイド部の上方側から平板状に突出する横板部の下面から下方に突出するブロック状ガイド部であることを特徴とする請求項３に記載の溶着性ビーズ玩具用スクレイパー。
【請求項６】
前記ヘラ部は、下面が水平に形成されることを特徴とする請求項１乃至請求項５の何れか記載の溶着性ビーズ玩具用スクレイパー。
【発明の詳細な説明】
【技術分野】
【０００１】
本発明は、保持トレイに載置された複数の溶着性ビーズ玩具を保持トレイから取り外すための溶着性ビーズ玩具用スクレイパーに関する。
【背景技術】
【０００２】
従来から、水溶性樹脂で形成された粒状のビーズを用いた溶着性ビーズ玩具が提供されている。特許文献１には、溶着性ビーズ玩具が載置されるよう複数の凹部が形成される保持トレイと、ベーストレイと、保持トレイとベーストレイとの間に差し込むシートを備えるビーズ玩具セットが開示されている。ここで、このシートには、図柄が記載されており、使用者はこの図柄に合わせて溶着性ビーズ玩具を保持トレイに配置することで、種々の形状の溶着性ビーズ玩具の集合体を作成することができる。
【０００３】
この溶着性ビーズ玩具は、例えば、ポリビニルアルコールを樹脂に配合して混練して粒状に形成される。そして、溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【先行技術文献】
【特許文献】
【０００４】
【特許文献１】実用新案登録第３１３１２９２号公報
【発明の概要】
【発明が解決しようとする課題】
【０００５】
溶着性ビーズ玩具への水の供給は、溶着性ビーズ玩具が確実に溶融するよう十分な量の水が供給される。溶着性ビーズ玩具を十分に湿潤させた後の余分な水分は、保持トレイの凹部に溜まる。そして、水が供給された溶着性ビーズ玩具を自然乾燥させると、表面側の面が先に乾燥し、裏面側（すなわち、保持トレイ側の面側）は表面側の面に比べて乾燥速度が遅くなる。ここで、溶着性ビーズ玩具は、乾燥して硬化すると僅かに収縮する。従って、保持トレイに載置したまま乾燥させた溶着性ビーズ玩具の集合体は、表面側が先に乾燥して収縮するので、反った状態で完成することがある。すると、溶着性ビーズ玩具で遊ぶ子供にとって、楽しみが低減されてしまうことがある。
【０００６】
この溶着性ビーズ玩具の集合体の乾燥後の反りを防止するため、完全に乾燥する前の早い段階で溶着性ビーズ玩具を保持トレイから手で取り外そうとすると、完全に溶着性ビーズ玩具同士が結合していないので、折角並べた溶着性ビーズ玩具の集合体がバラバラに崩れてしまうことがある。また、保持トレイをひっくり返して溶着性ビーズ玩具の集合体を取り外そうとすると、保持トレイの凹部に溜まった水が飛散してしまう。凹部に溜まった水は、糊状の成分を含んでいるため、その拭き取りには手間が掛かってしまうことがある。さらに、各種のヘラ等の市販の部材で溶着性ビーズ玩具を取り外そうとすると、子供にとってはヘラ等の部材をまっすぐ動かすことが難しいので、上手に取り外すことが困難である。
【０００７】
本発明の目的は、溶着性ビーズ玩具の集合体の乾燥後の反りを低減するよう早めに保持トレイから溶着性ビーズ玩具の集合体を取り外すことができる溶着性ビーズ玩具用スクレイパーを提供する。
【課題を解決するための手段】
【０００８】
本発明の一つの態様に係る溶着性ビーズ玩具用スクレイパーは、本体部と、前記本体部の前方側に形成されるヘラ部と、前記本体部の左右両側にそれぞれ配置され、前記ヘラ部の前進移動を案内するガイド部と、を備える。
【発明の効果】
【０００９】
上記の態様によれば、保持トレイに載置された溶着性ビーズ玩具の集合体が硬化して結合するまでの所定時間を経過していなくても、容易に保持トレイから溶着性ビーズ玩具の集合体を取り外すことができる溶着性ビーズ玩具用スクレイパーを提供することができる。
【図面の簡単な説明】
【００１０】
【図１】本発明の実施形態に係る溶着性ビーズ玩具用スクレイパーを上方から見た斜視図である。
【図２】本発明の実施形態に係る溶着性ビーズ玩具用スクレイパーを下方から見た斜視図である。
【図３】本発明の実施形態に係る溶着性ビーズ玩具用スクレイパーを保持トレイに載置した状態を示す斜視図である。
【図４】本発明の実施形態に係るビーズ玩具用スクレイパーを保持トレイに載置した状態における図３のＱ部を拡大して、保持トレイの一部を断面とした斜視図である。
【図５】本発明の実施形態に係る溶着性ビーズ玩具用スクレイパーを保持トレイに載置して前方に移動させ、溶着性ビーズ玩具を取り外している状態を示す斜視図である。
【図６】本発明の実施形態に係る溶着性ビーズ玩具用スクレイパーで溶着性ビーズ玩具を保持トレイから取り外した状態を示す斜視図である。
【図７】本発明の実施形態に係る溶着性ビーズ玩具用スクレイパーを他の形態の保持トレイに載置した状態を示す斜視図である。
【発明を実施するための形態】
【００１１】
以下、図に基づいて本発明の実施形態を説明する。図１は溶着性ビーズ玩具用スクレイパー１を上方から見た斜視図である。図２は溶着性ビーズ玩具用スクレイパー１を下方から見た斜視図である。溶着性ビーズ玩具用スクレイパーは、平面視横長矩形の本体部１０が形成されている。本体部１０には、ヘラ部２０が形成されている。なお、以下の説明においては、ヘラ部２０側を前とし、ヘラ部２０側の反対側を後とする。そして、後方から前方を見たときの左手側を左、右手側を右とする。
【００１２】
溶着性ビーズ玩具用スクレイパー１は、図３〜図７に示す保持トレイ５０，６０等に載置してヘラ部２０を前進させることにより、保持トレイ５０に載置された溶着性ビーズ玩具８０の集合体を、溶着性ビーズ玩具８０の集合体が硬化して結合するまでの所定時間よりも短い時間で取り外すことができるものである。先ず、図１、図２に基づいて、溶着性ビーズ玩具用スクレイパー１の構成を説明する。
【００１３】
ヘラ部２０の上面は、本体部１０の上面と連続した面とされ、具体的には連続した平面とされている。ヘラ部２０の下面は左右に長い平坦面２１とされている。平坦面２１は水平に形成されている。ヘラ部２０の上面は、平坦面２１に対して所定の角度で前方から後方に掛けて上方に向かうよう傾斜している。
【００１４】
図２に示すように、本体部１０の下面には、本体部１０の中央と左右の端縁に、それぞれ前後方向に延びる縦板状の中央縦板部１１、左右の縦板部１２ａ，１２ｂが形成されている。また、本体部１０の下面には、左右に長い梁状の横梁部１３が形成されている。
【００１５】
横梁部１３は、中央縦板部１１及び左右の縦板部１２ａ，１２ｂの前後方向略中央位置で、中央縦板部１１と、左右の縦板部１２ａ，１２ｂと、を連結している。また、ヘラ部２０の下面の平坦面２１と、中央縦板部１１、左右の縦板部１２ａ，１２ｂの各下面及び横梁部１３の下面とは、水平に連続した面とされている。また、中央縦板部１１及び左右の縦板部１２ａ，１２ｂの後端には、連結突起１４が形成されている。連結突起１４は、左右に長く形成されて、中央縦板部１１及び左右の縦板部１２ａ，１２ｂを連結するよう本体部１０の下面から突出して設けられている。
【００１６】
本体部１０の左右には、それぞれ縦板状に板状ガイド部３１ａ，３１ｂが形成されている。板状ガイド部３１ａ，３１ｂは、それぞれ左右の縦板部１２ａ，１２ｂの外側面３５ａ，３５ｂ（換言すれば、本体部１０の左右の側面）から外方に向けて、平坦面が外側面３５ａ，３５ｂと平行となるよう突出して形成されている。図２に示す板状ガイド部３１ａ，３１ｂの下面３１ａ１，３１ｂ１は、ヘラ部２０の平坦面２１に対して傾斜するとともに、本体部１０の上面とは平行に形成されている。
【００１７】
各板状ガイド部３１ａ，３１ｂの上端からは、左右の外方に向けて平板状に突出される横板部３２ａ，３２ｂが形成されている。横板部３２ａ，３２ｂの上面には、それぞれ左右に長い凸条３３が前後に複数配置されて滑り止め部が形成されている。
【００１８】
各横板部３２ａ，３２ｂの下面からは、下方に向けてブロック状に突出するブロック状ガイド部３４ａ，３４ｂが形成されている。ブロック状ガイド部３４ａ，３４ｂは、中空に形成されている。ブロック状ガイド部３４ａ，３４ｂの下面は、水平に形成されている。そして、ブロック状ガイド部３４ａ，３４ｂの下面は、ヘラ部２０の下面である平坦面２１よりも下方側に位置している。
【００１９】
板状ガイド部３１ａ，３１ｂ、ブロック状ガイド部３４ａ，３４ｂ及び縦板部１２ａ，１２ｂの外側面３５ａ，３５ｂは、それぞれ、ヘラ部２０（すなわち、本体部１０）の前進移動を案内するガイド部３０ａ，３０ｂである。上記の通り、ガイド部３０ａ，３０ｂは、本体部１０の左右にそれぞれ配置される。また、板状ガイド部３１ａ，３１ｂとブロック状ガイド部３４ａ，３４ｂは、それぞれの対向する側面が所定の間隔を空けて配置されている。
【００２０】
このように形成される溶着性ビーズ玩具用スクレイパー１は、例えば、図３に示す保持トレイ５０に載置することができる。保持トレイ５０には、球形とされる複数の溶着性ビーズ玩具８０が載置され並べられている。ここで、溶着性ビーズ玩具８０は公知のものが用いられる。例えば、溶着性ビーズ玩具８０は、ポリビニルアルコールを樹脂に配合して混錬して形成される。その形状は、本実施形態においては、真球形状の溶着性ビーズ玩具８０を示しているが、この他、多面体形状等に成形することもできる。また、種々の色の溶着性ビーズ玩具８０を用いることもできる。
【００２１】
また、保持トレイ５０は、溶着性ビーズ玩具８０とともに公知の一例の保持トレイ５０である。保持トレイ５０は平面視略正方形の板状に形成されている。保持トレイ５０の表面には複数の円形の凹部５２が設けられている。凹部５２は、異なる行（または列）毎にオフセットして配置されている。これにより、凹部５２に載置された１つの溶着性ビーズ玩具８０を中心として、放射状に６個の溶着性ビーズ玩具８０を凹部５２に載置することができる。また、凹部５２の直径は、溶着性ビーズ玩具８０の直径よりも小さく形成されるとともに、隣り合う凹部５２の中心間の距離は、隣り合う凹部５２に配置された溶着性ビーズ玩具８０が相互に接触して又は相互に僅かに接触しない程度に配置されるよう設定されている。なお、その他の公知の保持トレイには、丸などの形状をしたものや、凹部５２が上記のようにオフセットしないで並列して配置されているものがある。
【００２２】
さらに、保持トレイ５０には、四方の外周縁部に壁状の縁壁部５４が形成されている。具体的には、縁壁部５４は、左側の左縁壁部５４ａと、右側の右縁壁部５４ｂと、前側の前縁壁部５４ｃと、後側の後縁壁部５４ｄ（図５、図６参照）と、がそれぞれ角部で角Ｒ状に連結されて形成されている。対向する縁壁部５４の面間距離（例えば左縁壁部５４ａの内側面と右縁壁部５４ｂの内側面の距離）は、溶着性ビーズ玩具用スクレイパー１の本体部１０の外側面３５ａ，３５ｂ間の距離よりも若干大きく設定されている。よって、左右の縦板部１２ａ，１２ｂは、それぞれ対向する縁壁部５４（左縁壁部５４ａ、右縁壁部５４ｂ）の内側に配置される。このとき、縦板部１２ａ，１２ｂのそれぞれの外側面３５ａ，３５ｂと縁壁部５４（左縁壁部５４ａ、右縁壁部５４ｂ）の内面とは、近接又は接触している。
【００２３】
また、縁壁部５４（左縁壁部５４ａ、右縁壁部５４ｂ）の上面には、対向して板状ガイド部３１ａ，３１ｂの下面３１ａ１，３１ｂ１が配置される。縁壁部５４（左縁壁部５４ａ、右縁壁部５４ｂ）の上面と板状ガイド部３１ａ，３１ｂの下面３１ａ１，３１ｂ１の前端部（図４で示す一方の前端部３１ａ２）は、近接又は接触している。また、ブロック状ガイド部３４ａ，３４ｂの下面は、机上等の設置面とは所定距離で離隔している。
【００２４】
また、ヘラ部２０の下面の平坦面２１と、中央縦板部１１、左右の縦板部１２ａ，１２ｂの各下面及び横梁部１３の下面は、保持トレイ５０の凹部５２が形成される面と接触している。
【００２５】
保持トレイ５０に載置した複数の溶着性ビーズ玩具８０は、霧吹き等で水が供給されてから硬化して結合するまでの所定時間（例えば、３０分〜６０分程度）が経過すると、湿潤状態の溶着性ビーズ玩具８０は乾燥し、溶融した溶着性ビーズ玩具８０同士が結合して硬化する。溶着性ビーズ玩具用スクレイパー１による溶着性ビーズ玩具８０の集合体の保持トレイ５０からの取り外しは、溶着性ビーズ玩具８０が硬化して結合するまでの所定時間よりも短い時間（例えば、１５分〜２０分程度）で行う。ここでいう溶着性ビーズ玩具８０が硬化して結合するまでの所定時間よりも短い時間における溶着性ビーズ玩具８０の状態は、複数の溶着性ビーズ玩具８０の露出している上面側は既に硬化が進行していて、保持トレイ５０の凹部５２側の面は湿潤状態とされる。この状態における溶着性ビーズ玩具８０の集合体を手である程度の力を加えて引っ張ると分離されるが、一方端をつまむ等しても自重では分離されない状態である。なお、図３及び図５、図６において、溶着性ビーズ玩具８０に網掛けを施している部分は、湿潤状態であることを示している。
【００２６】
以下、溶着性ビーズ玩具用スクレイパー１で溶着性ビーズ玩具８０の集合体を取り外す手順を説明する。保持トレイ５０に載置した溶着性ビーズ玩具８０の集合体に水を供給し、溶着性ビーズ玩具８０の集合体が硬化して結合するまでの所定時間よりも短い時間（例えば１５分〜２０分程度）経過後、図３に示すように溶着性ビーズ玩具用スクレイパー１を保持トレイ５０に載置する。そして、溶着性ビーズ玩具用スクレイパー１を前進させる。このとき、凸条３３が配置される滑り止め部を指で押さえながら溶着性ビーズ玩具用スクレイパー１を前進させたり、ブロック状ガイド部３４ａ，３４ｂの後側を指で押しながら溶着性ビーズ玩具用スクレイパー１を前進させたりすることができる。
【００２７】
溶着性ビーズ玩具用スクレイパー１は、縦板部１２ａ，１２ｂの外側面３５ａ，３５ｂや、板状ガイド部３１ａ，３１ｂの前端（例えば図４に示す一方の前端部３１ａ２）が縁壁部５４に沿って移動可能に配置されるため、ヘラ部２０の前進が確実に案内されている。
【００２８】
溶着性ビーズ玩具用スクレイパー１を前進させると、図５に示すように、ヘラ部２０により溶着性ビーズ玩具８０の集合体が保持トレイ５０から順次取り外される。このとき、各溶着性ビーズ玩具８０の下面は湿潤状態であるので、容易に保持トレイ５０から取り外すことができる。一方、各溶着性ビーズ玩具８０の上面は硬化が進行しているので、溶着性ビーズ玩具８０同士が結合されている。従って、ヘラ部２０で取り外された溶着性ビーズ玩具８０の集合体は、分離することなく保持トレイ５０から取り外される。そして、ヘラ部２０の上面に順次送り込まれる溶着性ビーズ玩具８０の集合体は、順次に本体部１０の上面上に送られる。
【００２９】
溶着性ビーズ玩具８０の集合体を完全に保持トレイ５０から取り外したら、図６に示すように、溶着性ビーズ玩具用スクレイパー１を持ち上げる。そして、湿潤状態である各溶着性ビーズ玩具８０の下面側が上側となるように、溶着性ビーズ玩具８０の集合体をひっくり返して机上等に置く。すると、湿潤状態の溶着性ビーズ玩具８０の面が表面側に配置されるので、湿潤状態の面の硬化が、既に硬化が進行している側の面よりも促進される。従って、溶着性ビーズ玩具８０の集合体は、保持トレイ５０上で載置されたまま硬化させるよりも、略均等に硬化される。よって、溶着性ビーズ玩具８０の集合体の一方面が先に硬化して収縮することによる溶着性ビーズ玩具８０の集合体の反りが低減される。
【００３０】
また、上記手順によれば、保持トレイ５０上で溶着性ビーズ玩具８０の集合体を載置したまま完全に硬化させるよりも早く保持トレイ５０から溶着性ビーズ玩具８０の集合体を取り外すことができる。従って、使用者は、より早く次の溶着性ビーズ玩具８０の集合体の製作に取り掛かることができる。
【００３１】
また、図７に示すように、溶着性ビーズ玩具用スクレイパー１は、前述の保持トレイ５０よりも大型の保持トレイ６０にも用いることができる。保持トレイ６０は、前述の保持トレイ５０の凹部５２と同様に複数の凹部６２が設けられている。複数の凹部６２の外周には、縁壁部６４が壁状に立設している。ここで、保持トレイ６０の上面のうち、左右の縁壁部６４の外方のサイド面６６ａ，６６ｂは、複数の凹部６２が形成される面よりも低く形成されている。
【００３２】
この保持トレイ６０の複数の凹部６２にも、複数の溶着性ビーズ玩具８０を任意の図柄となるよう配置することができる。そして、前述の手順と同様に、溶着性ビーズ玩具８０の集合体を保持トレイ６０から取り外すことができる。
【００３３】
ここで、保持トレイ６０に溶着性ビーズ玩具用スクレイパー１を載置すると、左右のブロック状ガイド部３４ａ，３４ｂの下面がサイド面６６ａ，６６ｂに近接又は接触する。従って、溶着性ビーズ玩具用スクレイパー１を前進させる場合に、左右のブロック状ガイド部３４ａ，３４ｂの下面とサイド面６６ａ，６６ｂとで溶着性ビーズ玩具用スクレイパー１を安定させながらヘラ部２０を前進させることができる。
【００３４】
以上のような本発明の実施形態によれば、下記の態様の溶着性ビーズ玩具用スクレイパーを提供することができる。
【００３５】
第１の態様に係る溶着性ビーズ玩具用スクレイパーは、本体部と、前記本体部の前方側に形成されるヘラ部と、前記本体部の左右両側にそれぞれ配置され、前記ヘラ部の前進移動を案内するガイド部と、を備える。
【００３６】
この構成によれば、溶着性ビーズ玩具の集合体が硬化して結合するまでの所定時間よりも短い時間で保持トレイから溶着性ビーズ玩具の集合体を取り外すことができる。従って、硬化の際の収縮による溶着性ビーズ玩具の集合体の反りを低減することができ、さらに、次の溶着性ビーズ玩具の集合体の製作も早く取りかかることができる。そして、ガイド部によりヘラ部の前進移動が案内されるので、溶着性ビーズ玩具の集合体の取り外しも容易である。従って、溶着性ビーズ玩具で遊ぶ子供にとって、溶着性ビーズ玩具の製作を一層楽しいものとすることができる。
【００３７】
第２の態様に係る溶着性ビーズ玩具用スクレイパーは、前記本体部は、上面が平面とされる平面視横長矩形状に形成され、前記ヘラ部の上面は、前記本体部の上面と連続した平面が形成される。
【００３８】
この構成によれば、溶着性ビーズ玩具の集合体の取り外しの際、ヘラ部の上面から本体部の上面に亘ってスムーズに溶着性ビーズ玩具の集合体が送られるので、より一層容易に取り外しの作業を行うことができる。
【００３９】
第３の態様に係る溶着性ビーズ玩具用スクレイパーは、前記ガイド部は、前記本体部の左右の側面と平行に前記各側面から縦板状に突出し、下面を前記本体部の下面よりも上方に位置させた板状ガイド部である。
【００４０】
この構成によれば、保持トレイの縁壁部の上面と板状ガイド部の下面とを近接又は接触させることができるので、溶着性ビーズ玩具用スクレイパーの前進移動を確実に案内することができる。
【００４１】
第４の態様に係る溶着性ビーズ玩具用スクレイパーは、前記ガイド部は、前記本体部の左右から平板状に突出する横板部の下面から下方に突出するブロック状ガイド部である。
【００４２】
この構成によれば、ブロック状ガイド部の下面をガイド面とすることができる。従って、溶着性ビーズ玩具用スクレイパーの前進移動を安定して案内することができる。さらに、このブロック状ガイド部の後面を押して溶着性ビーズ玩具用スクレイパーを前進移動させることもできるので、さらに容易に溶着性ビーズ玩具の集合体の取り外しの作業を行うことができる。
【００４３】
第５の態様に係る溶着性ビーズ玩具用スクレイパーは、前記ガイド部は、左右の前記板状ガイド部の上方側から平板状に突出する横板部の下面から下方に突出するブロック状ガイド部である。
【００４４】
この構成によれば、保持トレイの縁壁部を利用して溶着性ビーズ玩具用スクレイパーのヘラ部を案内する構成と、ブロック状ガイド部を備える構成と、を備える溶着性ビーズ玩具用スクレイパーを一体的に見栄え良く形成することができる。
【００４５】
第６の態様に係る溶着性ビーズ玩具用スクレイパーは、前記ヘラ部は、下面が水平に形成される。
【００４６】
この構成によれば、ヘラ部の先端を保持トレイの凹部が形成される面と近接又は接触させることができるので、溶着性ビーズ玩具用スクレイパーのヘラ部の前進移動をさらに安定して案内することができる。
【００４７】
以上、本発明の実施形態について説明したが、本発明は上記実施形態に限定されるものではなく、その要旨を逸脱しない限りにおいて、種々の変更が可能である。
【００４８】
例えば、本実施形態においては、溶着性ビーズ玩具用スクレイパー１の本体部１０の上面は平坦面としたが、微小な凹凸による刻印文字や模様を施したり、取り外し作業の際の溶着性ビーズ玩具の集合体の脱落を防止するための微小な凹凸（例えば側面視くさび状の凹凸）を施したりすることができる。また、ヘラ部２０の上面と連続する本体部１０の上面は、本実施形態においては平面状としたが、側面視において凸湾曲状や凹湾曲状に形成することもできる。
【符号の説明】
【００４９】
１        溶着性ビーズ玩具用スクレイパー          １０      本体部
１１      中央縦板部                              １２ａ    縦板部
１２ｂ    縦板部                                  １３      横梁部
１４      連結突起                                ２０      ヘラ部
２１      平坦面
３０ａ    ガイド部                                ３０ｂ    ガイド部
３１ａ    板状ガイド部                            ３１ａ１  下面
３１ａ２  前端部                                  ３１ｂ    板状ガイド部
３１ｂ１  下面                                    ３２ａ    横板部
３２ｂ    横板部                                  ３３      凸条
３４ａ    ブロック状ガイド部                      ３４ｂ    ブロック状ガイド部
３５ａ    外側面                                  ３５ｂ    外側面
５０      保持トレイ                              ５２      凹部
５４      縁壁部                                  ５４ａ    左縁壁部
５４ｂ    右縁壁部                                ５４ｃ    前縁壁部
５４ｄ    後縁壁部                                ６０      保持トレイ
６２      凹部                                    ６４      縁壁部
６６ａ    サイド面                                ６６ｂ    サイド面
８０      溶着性ビーズ玩具
【図１】
2017189205.tif 000003
【図２】
2017189205.tif 000004
【図３】
2017189205.tif 000005
【図４】
2017189205.tif 000006
【図５】
2017189205.tif 000007
【図６】
2017189205.tif 000008
【図７】
2017189205.tif 000009
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
本体部と、
前記本体部の前方側に形成されるヘラ部と、
前記ヘラ部の前後移動を案内するために、前記本体部の左右の端面から延びて前記本体部の左右の端部との間に間隔を形成し、下面を有して前記本体部の左右両側に配置されるガイド部と、
を備えることを特徴とする溶着性ビーズ玩具用スクレイパー。
【請求項２】
前記本体部は、上面が平面とされる平面視横長矩形状に形成され、
前記ヘラ部の上面は、前記本体部の上面と連続した平面が形成されることを特徴とする請求項１に記載の溶着性ビーズ玩具用スクレイパー。
【請求項３】
前記ガイド部は、前記本体部の左右の側面と平行に前記各側面から縦板状に突出し、前記下面を前記本体部の下面よりも上方に位置させた板状ガイド部を有することを特徴とする請求項１又は請求項２に記載の溶着性ビーズ玩具用スクレイパー。
【請求項４】
前記ガイド部は、前記本体部の左右から平板状に突出する横板部の下面から下方に突出し、前記ヘラ部の下面よりも下方に位置する前記下面を備えたブロック状ガイド部を有することを特徴とする請求項１乃至請求項３の何れか記載の溶着性ビーズ玩具用スクレイパー。
【請求項５】
前記ガイド部は、左右の前記板状ガイド部の上方側から平板状に突出する横板部と、該横板部の下面から下方に突出するブロック状ガイド部とを有することを特徴とする請求項３に記載の溶着性ビーズ玩具用スクレイパー。
【請求項６】
前記ヘラ部は、下面が水平に形成されることを特徴とする請求項１乃至請求項５の何れか記載の溶着性ビーズ玩具用スクレイパー。
【手続補正２】
【補正対象書類名】明細書
【補正対象項目名】０００８
【補正方法】変更
【補正の内容】
【０００８】
本発明の一つの態様に係る溶着性ビーズ玩具用スクレイパーは、本体部と、前記本体部の前方側に形成されるヘラ部と、前記ヘラ部の前後移動を案内するために、前記本体部の左右の端面から延びて前記本体部の左右の端部との間に間隔を形成し、下面を有して前記本体部の左右両側に配置されるガイド部と、を備える。
【手続補正３】
【補正対象書類名】明細書
【補正対象項目名】００３５
【補正方法】変更
【補正の内容】
【００３５】
第１の態様に係る溶着性ビーズ玩具用スクレイパーは、本体部と、前記本体部の前方側に形成されるヘラ部と、前記ヘラ部の前後移動を案内するために、前記本体部の左右の端面から延びて前記本体部の左右の端部との間に間隔を形成し、下面を有して前記本体部の左右両側に配置されるガイド部と、を備える。
【手続補正４】
【補正対象書類名】明細書
【補正対象項目名】００３６
【補正方法】変更
【補正の内容】
【００３６】
この構成によれば、溶着性ビーズ玩具の集合体が硬化して結合するまでの所定時間よりも短い時間で保持トレイから溶着性ビーズ玩具の集合体を取り外すことができる。従って、硬化の際の収縮による溶着性ビーズ玩具の集合体の反りを低減することができ、さらに、次の溶着性ビーズ玩具の集合体の製作も早く取りかかることができる。そして、ガイド部によりヘラ部の前進移動等が案内されるので、溶着性ビーズ玩具用スクレイパーを安定させて前後移動させることを可能とし、溶着性ビーズ玩具の集合体の取り外しを容易とできる。従って、溶着性ビーズ玩具で遊ぶ子供にとって、溶着性ビーズ玩具の製作を一層楽しいものとすることができる。
【手続補正５】
【補正対象書類名】明細書
【補正対象項目名】００３９
【補正方法】変更
【補正の内容】
【００３９】
第３の態様に係る溶着性ビーズ玩具用スクレイパーは、前記ガイド部は、前記本体部の左右の側面と平行に前記各側面から縦板状に突出し、前記下面を前記本体部の下面よりも上方に位置させた板状ガイド部を有する。
【手続補正６】
【補正対象書類名】明細書
【補正対象項目名】００４１
【補正方法】変更
【補正の内容】
【００４１】
第４の態様に係る溶着性ビーズ玩具用スクレイパーは、前記ガイド部は、前記本体部の左右から平板状に突出する横板部の下面から下方に突出し、前記ヘラ部の下面よりも下方に位置する下面を備えたブロック状ガイド部を有する。
【手続補正７】
【補正対象書類名】明細書
【補正対象項目名】００４３
【補正方法】変更
【補正の内容】
【００４３】
第５の態様に係る溶着性ビーズ玩具用スクレイパーは、前記ガイド部は、左右の前記板状ガイド部の上方側から平板状に突出する横板部と、該横板部の下面から下方に突出するブロック状ガイド部を有する。